(57)【要約】【課題】収納のデッドスペースの低減を図り、より使い勝手に優れた斬新な収納棚を提供する。【解決手段】左右の側壁の手前側の取付部２ａ，２ｂは、鉛直方向に向かって延びるように設けられている。これらの取付部２ａ，２ｂは、取付対象の取付高さを調整することが可能な構造を有し、かつ、取付対象が着脱自在な横棒３ａの左右端をそれぞれ支持する。左右の側壁の奥側の取付部２ｃ，２ｄは、鉛直方向に向かって延びるように設けられている。これらの取付部２ｃ，２ｄは、取付対象の取付高さを調整することが可能な構造を有し、かつ、取付対象が着脱自在な横棒３ｂの左右端をそれぞれ支持する。【選択図】図１
0003117712.tif 000002
【実用新案登録請求の範囲】
【請求項１】
収納棚において、
収納部内の右側壁の手前側において鉛直方向に向かって延びるように設けられているとともに、取付対象の取付高さを調整することが可能な構造を有し、当該取付対象が着脱自在な第１の横棒の場合には、当該手第１の横棒の右端を支持する第１の取付部と、
前記収納部内の左側壁の手前側において鉛直方向に向かって延びるように設けられているとともに、取付対象の取付高さを調整することが可能な構造を有し、当該取付対象が前記第１の横棒の場合には、前記第１の横棒の左端を支持する第２の取付部と、
前記収納部内の右側壁の奥側において鉛直方向に向かって延びるように設けられいるとともに、取付対象の取付高さを調整することが可能な構造を有し、当該取付対象が着脱自在な第２の横棒の場合には、当該第２の横棒の右端を支持する第３の取付部と、
前記収納部内の左側壁の奥側において鉛直方向に向かって延びるように設けられているとともに、取付対象の取付高さを調整することが可能な構造を有し、当該取付対象が前記第２の横棒の場合には、前記第２の横棒の左端を支持する第４の取付部と
を有することを特徴とする収納棚。
【請求項２】
前記取付対象が着脱自在な棚板の場合には、前記第１の取付部と、前記第２の取付部と、前記第３の取付部と、前記第４の取付部とが連係して、前記棚板を四点で支持することを特徴とする請求項１に記載された収納棚。
【考案の詳細な説明】
【技術分野】
【０００１】
本考案は、収納棚に関する。
【背景技術】
【０００２】
近年、人々の価値観が多様化するのにともない、住居に快適さやゆとりを求める人々が益々増えている。しかしながら、敷地面積や予算といった様々な制約から、居住空間を十分に確保するのが困難なケースも多い。そこで、限られた居住空間で快適な暮らしを実現するためには、使い勝手を阻害することなく、物の収納性を高めるための工夫が重要となる。
【０００３】
例えば、特許文献１には、奥に位置する固定棚と、手前に設けられ、横方向にスライド可能な可動棚とのなす間隙の大きさを調節可能な収納棚が開示されている。ユーザは、奥の固定棚に、所定の大きさ以上の書籍やレコード盤を収納したい場合に、可動棚を前寄りに調節する。
【特許文献１】登録実用新案第３０１９７３６号公報
【考案の開示】
【考案が解決しようとする課題】
【０００４】
本考案の目的は、収納のデッドスペースの低減を図り、より使い勝手に優れた斬新な収納棚を提供することである。
【課題を解決するための手段】
【０００５】
かかる課題を解決するために、本考案は、第１から第４の取付部が収納部内の左右の側壁に設けられた収納棚を提供する。第１の取付部は、右側壁の手前側において鉛直方向に向かって延びるように設けられており、第２の取付部は、左側壁の手前側において鉛直方向に向かって延びるように設けられている。これらの取付部は、取付対象の取付高さを調整することが可能な構造を有し、かつ、取付対象が着脱自在な第１の横棒の場合、第１の横棒の右端および左端をそれぞれ支持する。第３の取付部は、右側壁の奥側において鉛直方向に向かって延びるように設けられており、第４の取付部は、左側壁の奥側において鉛直方向に向かって延びるように設けられている。これらの取付部は、取付対象の取付高さを調整することが可能な構造を有し、かつ、取付対象が着脱自在な第２の横棒の場合、第２の横棒の右端および左端をそれぞれ支持する。
【０００６】
ここで、本考案において、取付対象が着脱自在な棚板の場合、第１から第４の取付部が連係して、棚板を四点で支持することが好ましい。
【考案の効果】
【０００７】
本考案によれば、奥行き方向に複数の横棒を取り付け、これらの横棒にタオル等を掛けられるようにしている。デッドスペースになりがちな奥側にも横棒を取り付けることで、奥行き方向のデッドスペースの低減を図ることができる。また、これらの横棒の取付高さは任意に調整できるので、使い勝手のよい収納棚を安価に実現できる。さらに、これらの横棒に代えて、或いは、横棒と併用して棚板を取付可能にすれば、ユーザにとっての利便性の一層の向上を図ることができる。
【考案を実施するための最良の形態】
【０００８】
図１は、横棒が取り付けられた状態における収納棚の前方斜視図である。収納棚１は、一例として幅910mm、高さ2400mm、奥行280mmのサイズを有し、前面に開戸が取り付けられた上段の収納部（高さ1500mm）と、前面が開口した下段の収納部（高さ900mm）とに分割されている。下段の収納部内には、２本の横棒３ａ，３ｂが奥行き方向（前後方向）に着脱自在に取り付けられている。すなわち、この収納部内の右側壁１ａの手前側には、第１の取付部２ａが設けられているとともに、その左側壁１ｂの手前側には、第２の取付部２ｂが設けられている。また、右側壁１ａの奥側には、第３の取付部２ｃが設けられているとともに、左側壁１ｂの奥側には、第４の取付部２ｄが設けられている。これらの取付部２ａ〜２ｄは、鉛直方向に向かって延びるように設けられている。また、これらの取付部２ａ〜２ｄは、取付対象の取付高さを調整することが可能な構造を有する。具体的には、これらの取付部２ａ〜２ｄの側面には、多数の小穴が高さ方向に一列に並んで形成されている。
【０００９】
ユーザは、手前に位置する横棒３ａの取付高さを決めたら、左右の取付部２ａ，２ｂのそれぞれに対して、横棒３ａの端部を保持する受け部材（図示せず）が有する突出したピンを差し込み、これらに横棒３ａを載せる。これにより、手前側に位置する横棒３ａの右端は、第１の取付部２ａによって支持されるとともに、その左端は、第２の取付部２ｂによって支持される。また、ユーザは、手前の横棒３ａの奥に位置する横棒３ｂの取付高さを決めたら、左右の取付部２ｃ，２ｄのそれぞれに対して、横棒３ｂの端部を保持する受け部材（図示せず）が有する突出したピンを差し込み、これらに横棒３ｂを載せる。これにより、奥の横棒３ｂの右端は、第３の取付部２ｃによって支持されるともに、その左端は、第４の取付部２ｄによって支持される。
【００１０】
図２は、棚板が取り付けられた状態における収納棚１の前方斜視図である。下段の収納部には、横棒３ａ，３ｂに代えて、或いは、これと併用して、棚板４を取り付けることもできる。この場合、棚板４を設置したい箇所に対応した前後左右の４つの取付部２ａ〜２ｄのそれぞれに対して、ピン状の取付具を所望の高さの小穴に装着した上で、これらの取付具上に棚板４を載せる。これにより、着脱自在な棚板４は、取付部２ａ〜２ｄの連係によって四点で支持される。
【００１１】
本実施形態によれば、奥行き方向に複数の横棒３ａ，３ｂを取り付け、奥行き方向に複数段でタオル等を掛けられるようにしている。このように、デッドスペースになりがちな奥側に横棒３ｂを取り付けることで、奥行き方向のデッドスペースの低減を図ることができる。また、これらの横棒３ａ，３ｂの取付高さは、個々のタオル等の長さを考慮して任意に設定できるとともに、手前の横棒３ａよりも奥の横棒３ｂを高くすれば、奥のタオル等の出し入れも容易にできる。これにより、収納性に優れ、かつ、使い勝手のよい収納棚１を安価に実現できる。さらに、これらの横棒３ａ，３ｂに代えて、或いは、横棒３ａ，３ｂと併用して棚板４を取付可能にすれば、様々な収納対象物に柔軟に対応できるので、ユーザにとっての利便性の一層の向上を図ることができる。
【００１２】
なお、上述した実施形態では、取付部２ａ〜２ｄを奥行き方向２段に設けているが、本考案はこれに限定されるものではなく、より多くの段数であってもよい。
【図面の簡単な説明】
【００１３】
【図１】横棒が取り付けられた状態の収納棚の前方斜視図
【図２】棚板が取り付けられた状態の収納棚の前方斜視図
【符号の説明】
【００１４】
１  収納棚
１ａ  右側壁
１ｂ  左側壁
２ａ〜２ｄ  取付部
３ａ，３ｂ  横棒
４  棚板
【図１】
0003117712.tif 000003
【図２】
0003117712.tif 000004